(57)【要約】【課題】  地震等を受けても家具等を当初位置に回帰できる手段を有する転倒予防技術の提供。【解決手段】  家具等を載置する載架台４と、その下に設ける固定台５と、両台間に変位構造６と回転体等８、９から成る易滑動手段７を配設して、載架台４上向き前方移動を行わせる転倒防止用の構造本体１を形成し、家具等を適正設置する迄の両台４、５を自由拘束する仮止めパッキン２０ａから成る仮止め手段２０と、不安定起立性家具等に、安定性を付与する背板３ａとＬないしＴ字状に連結する張出底板３ｂ、３ｃから成る転倒予防具３とを補助具とし、左右一対の前記構造本体を家具等底部に設ける前倒れ転倒防止手段１０を構成した。【選択図】図１
2010000332.tif 000002
【特許請求の範囲】
【請求項１】
前方に空間を空けて、置物を載置する棚板を取り付ける袖壁や袖板の左右端の台枠や家具下部に配設し、外震動より家具等が倒れるのを防ぐ、家具等の前倒れ転倒防止手段において、
家具等（Ｃ）を載置する載架台（４）と、その下部に配置する固定台（５）と、該載架台を固定台に添って上向きの前方移動を助ける易滑動手段（７）とによって１組の転倒防止構造（１）を形成し、家具等（Ｃ）底部の左右端の空間側前方部とその後方部に分割可能のものを一体化して固定した前後構造物てあって、易滑動手段（７）は、車輪、ローラなどの回転体（７）あるいは低摩擦性の滑動面を有する易滑動性部材（８、９）と、傾斜面を有する変位構造（６）とから成り、静置時に載架台（４）を水平に保つ荷重受け支点となる回転体等（７、８、９）は、、外震動を受けると変位構造（６）上を移動して、該載架台に上向きの移動を始めさせるものであって、前記転倒防止構造は、家具等（Ｃ）の左右に各一対、据え付けて成る転倒防止手段（１０）を構成して、外震動時に移動荷重が重心不平衡を作り出し、移動が最大に至った後は、自重で回帰して平衡化する、揺動運動の繰り返しを生じさせる構成にしたことを特徴とする家具等の前倒れ転倒防止手段。
【請求項２】
変位構造（６）が、載架台（４）前部構造の底面に設けるもので、その斜辺を回転体等（７、８、９）の移動路とする側断面ほぼ三角形状に形成し、固定台（５）前部構造の先端部に設ける前記回転体等と一対になって該載架台の上向き移動を案内する変位台（６、６ｂ）に形成するものであって、該変位台の補助として、載架台（４）の後部底面に付設する回転体等（７ａ、９）に協動させる変位台（１２）を選択的に加えて、固定台（５）後部構造のほぼ先端部に設け、変位台（１２）は回転体等（７ａ、９）を下向きに移動させるように構成する請求項１記載の家具等の前倒れ転倒防止手段。
【請求項３】
転倒防止構造（１）が、載架台と固定台（４、５）とをその側面側に隙間（３６）を設けて嵌設した上で、側面板（１４ｂ、１５ｂ）の当面する一方に、外表面が波形または凹凸状の弾力性を付与したクッション性弾性シート（１８）を、少なくとも前部と後部に張設し、シートを張設しない他方側面板に凸状体を設け、該凸状体は前記シート内に形成する填め込み用の嵌合受溝（３４）と嵌合して一対とし、該嵌合受溝の嵌合性は、上下方向に高く、前方側方向に弱く形成して、載架台等（４、５）を静置状態で離脱が生じない水平位置で填め込む溝受け具（１７）であって、該嵌合構造を転倒防止構造（１）前部と後部の左右側面部に各１組、配設し、合わせて載架台等（４、５）の、一方の前面側板に半開凹状形、他方の前面側板に半凸状形のフックを形成して、一対の前部仮止め構造（２２）を、選択的に付設、形成する請求項１および２記載の家具等の前倒れ転倒防止手段。
【請求項４】
易滑動性部材（８、９）が、変位構造を有する変位台（６）または変位加工板（６ｃ）と、それらの傾斜面に当接して滑動可能とする易滑り具（９）とであって、該易滑り具は、移動時の当接面に低摩擦性材（８ａ）を張設、貼付または塗布した、突起物、紐状体または面状体を選択的に形成した請求項１、２および３記載の家具等の前倒れ転倒防止手段。
【請求項５】
幅広帯状体と、該帯状体の一方端に、紐端部を固設するコード（２１）と、前記帯状体の他方端に選択的に設ける輪金具（１９）とで仮止め手段（２０）を構成し、前記幅広帯状体は、側断面台形をし、薄肉部に、縦断面楔形に切り欠いて波状に成型、加工するパッキン（２０ａ）、前記コードは、自由端を前記輪金具に挿通したりして、構造本体前方にのぞかせるに充分な長さに整形して、載架台等（４、５）の両側面板間の隙間（３６）に一時的に填め込んでシールし、家具等（Ｃ）の設置終了時に、前記コードの自由端を引き寄せてコード固設側の端部を巻き取って、パッキン（２０ａ）の完全離脱を可能にする仮止め手段（２０）を構成したことを特徴とする家具等の前倒れ転倒防止手段のための補助具。
【請求項６】
転倒防止構造（１）が、棚板（３０）と棚両側袖壁に固定される棚受け台枠（３１）に、後部（２６）と前部（２７）に分別して形成する固定台構造（２Ａ）と、棚用後輪（２８）と変位台（２５）とを添え板（２４）上に配設して載架台構造（２Ｂ）を形成して、左右一対の台枠（３１）に向かい合わせに配設して取付ける棚用の転倒防止手段であって、
後部固定台（２６）が、三角形付け板付きの、開口部外向きで側断面コの字状の後輪型枠（２６ａ）と、前部固定台（２７）が、上向き車輪に、車軸枠をＬ形保持アーム（３５）と台枠（３１）に固定する棚用前輪（２９）から成り、それら両固定台（２６、２７）を棚板（３０）幅に合う中継ぎ梁（３２）で連結して固定台構造（２Ａ）として台枠（３１）に固定し、載架台構造（２Ｂ）は、該棚板幅に整形した添え板の前部（２４ｂ）に、下さがり傾斜の変位台（２５）を取り付け、該添え板後部先端には棚用後輪（２８）の車台を固定し、該棚用後輪の車軸はＬ形保持アーム（３５ａ）を介して車台に連結して構成し、次いで載架台構造（２Ｂ）を棚板（３０）に固定した上で棚用後輪（２８）を後輪型枠（２６ａ）に挿設し、かつ他方の棚板側を棚用前輪（２９）上に載置して、転倒防止手段を構成することを特徴とする請求項１、２および４記載の家具等の前倒れ転倒防止手段。
【請求項７】
家具等（Ｃ）と該載架台間に敷物やシートを介在させ、該敷物等に差込み用切り口を特設し、その切り口に、または該家具等と載架台（４）の間に直接、形成する底板を着脱自在に差し込んで、転倒予防を補助する補助具であって、背板（３ａ）と差し込み側の底板（３ｂ）を側断面Ｌ字状に形成し、該差し込み側の底板の反対方向に延設可能の張出部分を設ける構成とすることを特徴とする家具等の前倒れ転倒防止手段のための補助具。
【発明の詳細な説明】
【発明が属する技術分野】
【０００１】  本発明は、地震や外震動を受けた家具や棚上の置物が、その前面のユーティリティ空間に倒れ、人に怪我をさせ、物が毀れるのを防ぐための予防技術に係り、特にキャビネット家具や食堂賄い棚周りの置物など、人が常在する屋内、事務室内、作業場所に設けて有効な地震対策技術に関するものである。
【背景技術】
【０００２】  従来の、家具用の地震対策用品は、周囲構造物に固定する製品が一般的であって、床との据え付けを剛にし、天井・家具間や家具と左右の壁間に、突っ張り金具を挿設して固定するものが多い。以下、外部原因によって家具等が室外から受ける震動を、外震動という。【０００３】  しかしこれらの固定式対策品が、家具等を前倒れさせなくとも、家具等に当たる対策品先端部に、衝撃的な集中荷重は生じるので、家具等や構造物を毀損する懼れがある。【０００４】  そこで家具等の固定式対策品に対し、心柱構造により五重塔が全体を動き易く造る柔構造は千年余も倒壊しない点に学んで、単に対策品上に載置し、有事には外震動に合わせて家具等を従動させる構成の提案がなされている。それら提案の第一は、床上家具の底部に、一つの球体を皿形板二枚１組で挟み一体にした用品を挿設するもの（特許文献１）、その第二は、家具底部に、各１個の球体を収める複数区画円形ケース１箱を対策品とし、有事に球が転動して家具への衝撃を吸収する構造である（特許文献２）。【０００５】  これらの改善策を採用した構造でも、家具等の当初の位置が震動終止時の静置位置となるとは限らず、家具周りに段差があれば、それが転倒の原因となるという欠点がある。
その対策に第三の提案は、電磁ストッパを、球体挟み込み構造に併設して家具等に取り付け、不要な動きを制御する案がある（特許文献３）。この提案によれば、前倒れ事故は生じなくとも、提案する電磁ストッパは、固定されているので、震動が終息した際には移動する範囲は制御されている。しかしストッパを中心に家具は回動する傾向が生まれ、前記提案同様、家具等の震動終息時の静置位置は、震動前の当初位置であるとは限らない。【０００６】  従って震動時に、載置物が床上定位置に常在する電算機等を載せる免震法、上下・水平方向から来る被害対応形のフリーアクセス用免震床が、前記の不充分な点を解決する。この第四の提案は、横滑り防止の球体と床面当接球体と上下動吸収バネ構造を組み合わせて構成する（特許文献４）。この改善策は、床全体の改造に係る技術である。
しかし、前記三つの提案に比べて複雑で大掛かりであり、家具等に個別に対応しない。特に既存の建物内の構造物には適用できないという問題点がある。
以上に前記した転倒防止技術は、家具等の免震対策とはなっても、同一技術を用いて、棚置物、例えば鉢や食器類を一つの棚に置く収納形態には、適用できない。
【特許文献１】実用新案登録第３０１８３５９号公報
【特許文献２】特開２００５−２９６５９４号公報
【特許文献３】特開平９−２９６８４７号公報
【特許文献４】特開平２−１７１４６３号公報
【発明の開示】
【発明が解決しようとする課題】
【０００７】  解決しようとする問題点は、家具等を転倒防止器具を適切に設置する際に必要な仮一体化手段の提示がなく、適正設置設置技術の開示が無い点、特に、外震動からの前倒れ防止が防げたとしても、震動後に家具等を初動前位置に正しく戻せるとは限らない点である。
さらに前記転倒防止器具ないし装置設置の際に、家具内収納物が使用中に増減し、総荷重が変動し、重量配分に偏りが生じる、設置安定性を失うなどの使用環境変化に対応する技術の開示が無い点、さらに加えて置物を載せる棚に併用できない点である。
【課題を解決するための手段】
【０００８】  請求項１記載の本発明は、家具等の前倒れ転倒を起こす有事に、載架物全体が円滑に動ける易滑動手段を有したこと、その手段稼働時に、載架物の上向き移動を生じさせる、変位構造を付設したことを主要な特徴とする。【０００９】  請求項２記載の本発明は、変位構造が、前部構造の載架台底面に、その先端底面から下さがりの斜面を形成する変位台を付設し、それが載架台の前方移動に従って固定台先端の車輪上に乗り上げさせる仕組みに構成したことを最も主要な特徴とする。
かつその前部車輪乗り上げの仕組みを、さらに高位面から下さがりの斜面を形成する二つ目の変位台を、固定台後部上面に付加して形成し、載架台前方移動に従って、載架台後端がが坂下がりする構成を付加することを主要な特徴とする。【００１０】  請求項３記載の本発明は、載架台等が当面する両側面板の一方に、クッション性弾性シートを張設し、それを構造体先端の前後に均等配置したことを最も主要な特徴とする。
また、その弾性シート面に嵌合受け溝を形成し、それに当面する他方側面板に溝受け具を併設して載架台静置時には載架台と固定台が仮止めされ、移動が始まると容易に外れるように構成したことを主要な特徴とする。【００１１】  請求項４記載の本発明は、載架台等が当接面に形成して相互運動をする手段が、低摩擦性材で表面処理して設ける変位台、変位加工板、易滑り具であって、易滑動部材が車輪以外の手段によって易滑動性を保持するように構成したことを最も主要な特徴とする。【００１２】  請求項５記載の本発明は、載架台等を上下一組に組み立てた転倒防止構造付き家具として、運搬し、家具等配置定位置に上下一体化状態をして保持するために、側面板間に隙間とクッション材を設け、補助具に仮止めパッキンを設け、そのパッキン上側に波形切り欠き刻設し、詰め物の奥に当たるパッキン一端部に緊結し、他端を前面ユーティリティに覗かせて設ける一本のコードを伴う仮止め手段を構成したことを主要な特徴とする。【００１３】  請求項６記載の本発明は、棚板に適用する転倒防止構造を、前部に変位台を付設する載架台と、後部に三角形付け板付きの後輪型枠を特有のＬ字状に形成して固定台とし、それに取付ける保持アーム付きの車輪を形成した上で、棚幅に整えた一枚の添え板を介して、前部構造と後部構造および棚板とを一体化させて構成したことを主要な特徴とする。【００１４】  請求項７記載の本発明は、家具等底面に差込んで着脱自在に配設し、底板と併設し、側断面Ｌ字状の背板が家具直立面の転倒防止機能強化を計る補助具であって、また、差し込み底板の反対側に任意長さの張出底板を延設できる構成にした点とを主要な特徴とする。
【発明の効果】
【００１５】  請求項１記載の本発明によれば、家具等に強制的震動が働くと、直ちに載架物と共に易滑動手段が作用して上向き運動を生じさせ、必ず載架する家具等荷重に重心不平衡が生じる。震動には強弱の揺れのタイミングがあり、その外力作用が、生じた不平衡を自律的に平衡化する内部力となって、最も平衡になる初動位置に最後は収束する利点がある。【００１６】  請求項２記載の本発明によれば、載架台と固定台間に設ける変位構造が三角状斜路であり、それが家具等の設置高増の抑制に寄与し、二つ目の変位台付設が、同一設置高においての、載架台の上向き運動移動代を大きくするという効果をふやす。【００１７】  請求項３記載の本発明によれば、載架台等の両側面板にクッション性弾性シートを張設して、側面側方向への外震動時に、シート凹凸面が有する弾力が、猫じゃらし効果による自由度の高い前後方向への移動を誘発して上向き前方移動を誘導し、その動きがエネルギー消費に役立つ。そのシート面に嵌合受け溝と溝受け具を設けて、静置時一体化のための仮止めを行わせる構成は、静置時の本発明装置の一層の一体化に寄与する効果がある。【００１８】  請求項４記載の本発明によれば、本発明の易滑動手段に車輪などの回転体に代え、低摩擦性材仕上げの変位構造や易滑り具を両当接面に用いるので、載架台の上向き前方移動効果を損なわずに、回転体使用より総装置高を低く、かつ軽量化できるという利点がある。【００１９】  請求項５記載の本発明によれば、載架台を固定台上での前後移動を可能にするまで、一体化に安定を欠く要素を一時的に除いて一体化を保持するための本発明補助具が、帯状の仮止め手段であって、その仮止めの結合を側面板間に設けた長い隙間に、引き剥がし可能の帯状パッキンを埋めることで仮止め一体化と自由移動性の取得の両効果が得るようにした利点があり、構造本体長が長く、家具・床間が狭くとも、ユーティリティ空間まで伸ばして延設するコードを付設することで前記結合と載架台の自由度を得られる効果がある。【００２０】  請求項６記載の本発明によれば、各部品に分割できる載架台や固定台を左右台枠に組み立てる棚板用の本発明装置は、プレハブ式や作りつけ家具に実施でき、かつ仮止め手段が不要の利点がある。また棚板台枠以外の部分は広く明けられるので、棚板上置物の載置の邪魔にならず、本発明装置を複数段の棚用に設置できる効果がある。【００２１】  請求項７記載の本発明の転倒予防具によれば、着脱自在性、家具荷重の多寡、使用環境変化に対応できる利点があり、家具等の自重を有効利用した自律的な配置安定性が得られるる利点があり、家具等を置く敷物や付加シートの有無に左右されないで床面との緊結性を高めることができ、さらに棚上置物の起立安定性も確保できるという効果がある。
【発明を実施するための最良の形態】
【００２２】  構造物非固定式の家具等のための本発明の転倒防止手段が、震動終息後にも、載架台に載せる家具等を当初位置と同じにするという目的を、本発明装置に回転体等と変位構造易から成る易滑動手段を形成し、外震動受動時に家具等の上向き移動と初動時位置への往復揺動を起こさせて、家具等重量が自律的に原点に戻れる構成にすることにより実現した。
【実施例】
【００２３】  図１は、本発明の、前倒れ転倒予防手段に係る基本構成を説明し、それらに係る相互対応関係を示す模式図、図２は、本発明手段の構造本体の構成例を模式的に説明するもので、（Ａ）から（Ｆ）は各構成要素の相互対応を異にする構成を示す側面図、図３は、本発明の床置簡易型の１実施例を説明するもので、（Ａ）はその側断面図、（Ｂ）は（Ａ）のＡ〜Ａ´矢視図、（Ｃ）は（Ａ）のＢ〜Ｂ´矢視図である。
図１に示すように、後面に壁面Ｗをユーティリティ空間が前面になる家具や置物（以下、家具等という）Ｃを配置して、地震等の外震動時に前倒れ転倒防止が可能の転倒防止手段１０（以下、単に転倒防止手段という）を、家具等Ｃ底部に介装する。ここに破線は、選択的に併用する補助具３ないし２０を示し、転倒防止手段は、底部に取り付け家具等Ｃ左右側面の各端部に向かい合わせて配置する二組一対の転倒防止構造本体１（以下、単に構造本体という）で構成する。その構造本体は、床面Ｆ上の固定台５とその上の載架台４と、該二つの台間に介在させる易滑動手段７とを、一体的かつ解離可能に連結させている。そして図示左側を後ろに、右側を前とし、かつ載架台４の後部を基点に、該載架台の静置時に固定台上で安定させ、振動時には家具等Ｃに変位を起こす変位構造６が設けられる。【００２４】  図１の右に示す補助具３／２０は、家具内収納物が偏って設置安定性を欠くような変化が生じる際に対応して、予めまたは追加的に、載架台と家具等を保全強化可能の転倒予防具３であり、固定台４と載架台５との連結を、一時的に一体化する仮止め手段２０である。【００２５】  図２に、易滑動手段７の構成を代えた構造本体１を示す。同図（Ａ）は、固定台５ａの前後に、前方移動時に上向きを起こす上り坂型三角形状の変位台６ａと上向き車輪７ａを設け、載架台４は、前部より中央よりに下向き車輪７ｂを設ける、実施例１を示す。
同図（Ｂ）は、図（Ａ）に示す車輪取付を前後反対とし、前部車輪７ｂの上向き車輪に合わせた変位台６ｂを、載架台４が上向き移動を起こす位置に設けた実施例２を示す。
同図（Ｃ）に示すのは実施例３であり、図（Ａ）に示したＷ側の後部車輪を下向き車輪として載架台４に取り付けた点が異なり、その他の構成は代えていない。
同図（Ｄ）に示す構成例は、実施例３に示したＳ側の前部車輪に代えて、実施例１と２に図示した二つの向きの変位台６ａ、６ｂをほぼ同位置に重ね置きし、それらの当接面に、低摩擦性材加工の易滑り部材８を付設したものである。前記当接面は、面接触型、線接触型で前後にかつ一方の当接面に紐状突起物を付設したもの、または点接触型で一方の当接面に点状突起物を設けたものなどを選択的に形成する。低摩擦性材には、シリコンや四弗化エチレン重合樹脂（商標名テフロン）があり、それらを塗布またはシート状物の貼付などの加工が行われる。あるいは当接材を連続気泡を有するシート材を加工し、その気泡内に、油やシリコン油液などの液状摩擦性材を含浸させて加工したものがある。【００２６】  図１（Ｅ）と（Ｆ）は、変位加工板６ｃを前部に加工した固定台５が、初動時に載架台４を上向きにする構造本体２ａ、２ｂを示すもので、同図（Ｅ）に示す実施例５は車輪取付が実施例３と同じもの、同図（Ｆ）に示す実施例６は、載架台等４、５の当接面を、実施例４に示した低摩擦性材を加工して付設したものである。これらは、棚板に好適な構造本体となる。なお図示左右と下方に記載するＳは前部、Ｗは後部、Ｆは床面を示す。【００２７】  このように構成した本発明構造１は、地震などの外震動がない静置時に前記基点位置に安定配置され、外震動があると、家具等を載せた載架台４は、初動時は基点から離れ前方に移動し、初動が弱まると逆行する往復揺動を示し、載架台４を前後動させる。易滑動手段７は回転体等７ｂ、８、９と変位構造６とから成り、該回転体等は、車輪、ローラまたは底摩擦性材を付設する易滑り具により動き易く、変位構造６は、移動を始めた載架台４上の家具等Ｃを基点に戻す仕組みを作る。構造本体１の機構要素は、構造性部分に硬質合成樹脂、鋼板、木材など、選択部材は多い。回転体等には、汎用部品、硬質ゴム製、低摩擦性部材は、シリコン、油質含浸材など、適宜に選択して、加工するものである。
また補助具３ないし２０は、構造本体１に選択的に付属させて、設置作業性を高め、転倒補助具３付加使用によって転倒予防機能の改善や家具等の使用変化対策に効果を示す。【００２８】  そして図２（Ａ）、（Ｂ）、（Ｄ）に示す本体構造等１ａ、１ｂは、後部位置の車輪７ａと変位台６ａ、６ｂの長さとを調節し、家具等種類に対応した重心調節を計って、狭い荷重受け支点間隔でも前を上向き姿勢に変え、前倒れの危険を起こさなくできる。同図（Ｃ）、（Ｅ）、（Ｆ）に示すものでは、前後の車輪等が受ける荷重受け支点が定間隔であり、どの載架物が置かれても、特に棚置物の安定手段に適するという利点がある。【００２９】  図３に示すのは、実施例２の構造本体１ｂ形式に、後輪静置台２３付きの下り坂用の補助変位台１２と、その低位位置に車輪ストッパ２３ａを付加して構成した実施例７である。該車輪ストッパは、載架台４が急停車することのない、構造本体１の前後長さに応じて曲率を定める円弧凹面を形成して成る。車輪７ａ、７ｂは左右一対を構造本体１の前後に付設して、中央部に前後方向に延設する中仕切り１３を設けている。そして前部車輪７ｂは、載架台４を静置時に水平に保つために高さを調整した補助置台１６を設けてその上に固定している。なお前記中仕切りは、任意設置の設計的事項である。【００３０】  車輪７を左右に各一つで、一対の組み合わせ、中間に設ける中仕切り１３により、載架台４の安定性と進行ガイド効果を得た。また補助変位台１２を併設したので、載架台初動時の上向き効果を高める利点が生じた。従って、構造本体１の寸法を、変位台６ｂ１台より２台では、高さがより低くできるという効果が得られた。【００３１】  図５は、本発明手段の床置型の別の１実施例を説明するもので、（Ａ）はその要部を示す側面図、（Ｂ）は（Ａ）のＡ〜Ａ´矢視図、（Ｃ）は（Ｂ）のＢ〜Ｂ´矢視図、（Ｄ）は（Ｂ）のＣ〜Ｃ´矢視図。（Ｅ）は（Ｃ）の後部を示す部分側面図、（Ｆ）は（Ｄ）の前部を示す部分側面図、図８は、本発明手段に係る仮止め方式を説明するもので、（Ａ）は前部構造の仮止めフックを示す部分側断面図、（Ｂ）は図５（Ｃ）の仮止め構造の細部を示す部分側断面図である。
図５に示す実施例８は、実施例２の構造本体１ｂに側壁を付設したもので、載架台側面板１４ｂが、固定台側面板１５ｂに沿い、相互に当面する側面板間に空間３６を設けて組み立てたもので、車輪７ａは補助置台１６に載せて取付高を調整した。ここに１４ａは載架台天板、１５ａは固定台底板、２２ａと２２ｂは、図８で後に詳述する前部フック構造、同図（Ａ）に示す二点鎖線の長方形は、載架台４の初動進行時の姿形である。【００３２】  載架台４の後部の側面板１４ｂと固定台５の前部の側面板１５ｂの、それら両サイドには、その上下に伸びる縦断面波形のクッション性弾性シート１８（以下、単に弾性シートという）を張設する。この波形はやや上下に傾けて張設し、側面板がぶつかり離れるたびに構造本体１が前後方向の移動を生じる構成となる。固定台側面板１５ｂの構造本体１後部側には上下に長さを持つ凸状の溝受け具１７を固定、付設する。載架台４が静置状態の時に、前記弾性シート面に、溝受け具１７の凸状部分が填め合う形をした嵌合受溝３４を形成する。後述するように、該凸状部が空間３６に架橋して、該嵌合受溝に結合する。なお載架台４が動き出すと、その動作エネルギーが、嵌合受溝内溝受け具１７凸状部を剥がす程度に弾性シート面が仕上げられる。弾性シート１８は、波形凸状部内側に空気クッションを設けたゴム製シートまたは該凸状部を気泡入り軟質合成樹脂を成型したシート体が加工、形成されている。【００３３】  図８（Ａ）に示す嵌合構造は、載架台４と固定台５の両側面板前面に、前記嵌合受溝等の構造とは別設するもので、該固定台側に一部板片を外側に巻いて凸状部を設け、その下側に、載架台４の前面板端片を嵌合可能にカール加工して、上下に軽く仮止めする付設物である。同図（Ｂ）に示すように、載架台４側、前部溝受け具１７の頂面が嵌合受溝３４底部に当接して上部と下部にて載架台等４、５が一体化する。なおここに図示しないが、固定台５側後部に該溝受け具を付設して、載架台側に前記弾性シートを張設する場合、前記溝受け具頂面は底面、嵌合受溝底部は頂部に逆形成し、上下の仮固定が可能になる。【００３４】  図５と図８に示す構成によって、載架台４の静置時、前記溝受け具と嵌合受溝とで、載架台と固定台とが一体となる当接面が作られ、外震動を受けた初動時に、仮固定が外れ易くなる。弾性シート１８は、構造本体１側面への外震動を受けると、該弾性シートの波形形状の伸縮運動が、自由度がある構造本体前後方向に載架台４を移動させる、従ってその動きは、振動終息時には、初動位置に回帰可能になるという効果が得られる。【００３５】  図７は、本発明に係る転倒予防手段を前部と後部に分割した構造を結合する技術を説明するものであって、（Ａ）は別構造仕立ての分割構造の前部と後部との一体化方式を示す側面図、（Ｂ）は固定台と載架台とを一体化する仮止めの１実施例を示す側面図、（Ｃ）は溝受け具に係る仮止めの実施例を示す側面図、（Ｄ）は（Ｂ）に用いる仮止め具の全体を示す側面図である。
図７に示すのは、構造本体１を後輪部と前輪部に分けて、それぞれを独立に構成し、後に一体化して家具等Ｃに取り付ける実施例９である。この実施例では、図５の実施例８を参考に示している。後輪部は、後部車輪７ａと中仕切り１３を含み、付加的に補助変位台１２と車輪ストッパ２３ａを取り付け、前輪部には前部車輪７ｂと変位台６を取り付けてある。奥行きの深い家具に合わせてこれら前輪部と後輪部と予め形成し、図示中間部寸法に整形した左右一対の中継ぎ型材３３を、載架台４の前輪部と後輪部の側面板１４ａに固定する。固定部材１１とは、載架台の動作を妨げないビスやボルトの固定具である。なお同図（Ｃ）に示す仮止め手段が付設可能であるが、一体化に不充分であれば、同図（Ｂ）、（Ｄ）に示す仮止め手段２０を用いる。
図（Ｄ）に示すのは、構造本体１のほぼ全長の長さを持ち、上部が楔形状で下部が平面状に整形し、側断面ほぼ台形の仮止めパッキン２０ａであって、その一端に引き上げ用のコード２１を緊結し、そのコード長をパッキン長以上にしている。該仮止めパッキンの側断面は、載架台側面板１４ｂと固定台５間にできる隙間に填め込みを可能に形成し、その厚さは平面側はやや大きく、楔側はやや薄くなって填め込み易くなっている。そしてコード２０ａを図示左側へ引っ張れば、手の届かない奥側の一体化したパッキンも家具底面の隙間を通って前面操作側に引き剥がせるようになっている。そしてその１回のコード引き操作でその用途は終わる。なお図示の金輪１９は、コード緊結部保護用のものである。【００３６】  実施例９に示す構成によって、構造本体１を後輪部と前輪部とを独立分けして、再組立するので、本発明装置をキャビネット用プレハブ部品にできる利点がある。またキャビネット家具等Ｃを、使用屋内に適正配置するまで仮止め手段２０を装着し、使用時直前にコード２１を引き上げる操作によって、狭い家具底面から仮止めパッキン２０ａを除去し、その操作以後の本発明装置が、載架台４の自由な適正動作を保全できるとの効果がある。【００３７】  図４は、本発明手段の棚受け型の１実施例を説明するもので、（Ａ）はその側面図、（Ｂ）はその前面を示す部分側面図である。
図４の実施例１０に示すように、棚板３０に直接取り付ける添え板２４を載架台４の代用基盤とする。該添え板は棚板幅とほぼ同一長さの幅員から成り、添え板後部２４ａ先端に棚用後輪２８を、添え板前部２４ｂ先端に棚用前輪２９の上向き車輪が当るようになっている。該添え板前部直前には、下さがりに斜面を成す変位台２５が載架台の上向き移動用に付設される。同図（Ｂ）に示すように、後輪車輪２８はほぼ直角に車軸に連結するＬ形保持アーム３５ａに保持され、その車輪は後輪型枠２６ａに挿設される。ここに２Ａは棚用の固定台構造、２Ｂは同載架台構造を指し、二重破線の矢印は、初動時の、構造本体１の進行方向を示す。
家具内形成の棚は、通常上下多段に構成される。そこで棚下に無効空間がないように、後輪側に、車輪が下へ向かう変位台を設ける。従って三角状の付け板を持つ後部固定台２６を、背面が高く中央に向かう斜面が得られるように形成し、その上側に開口部が外向きで、側断面コの字状の後輪型枠２６ａを設ける。添え板前部２４ｂには、上向き車輪を配置した前部固定台２７を取り付け、その車軸枠はＬ形保持アーム３５を介して該前部固定台の型枠に固定する。該型枠は、前記後輪型枠と同じとし、中継ぎ梁３２を前部と後部の固定台２６、２７に連結可能となっている。連結済み固定台は、前部固定台２７を水平に設定し、固定部材１１で棚位置の台枠３１に固定する。次いで棚板３０取り付けの前記備品取付済みの添え板２４一対を、棚用後輪２８の車輪を後輪型枠２６ａ内に挿入することによって一体化し、添え板前部２４ｂは棚用前輪２９上に下ろされ、組み上げが完成する。【００３８】  図４に示す棚用構造本体の構成によって、外震動時の載架台移動の上向き機能は損なうことなく、固定台構造２Ａと載架台構造２Ｂの設置高さは低く纏まる。また添え板２４と中継ぎ梁３２長さを、棚板３０の奥行きに合わせるだけなので、全主要部品は、汎用化でき、また軽量化できるという効果がある。【００３９】  図６は、本発明に係る転倒予防具を説明するものであって、（Ａ）はその上面を示す平面図、（Ｂ）は（Ａ）のその側断面図、（Ｃ）は別の実施例を示す側断面図である。
図６に示すように、補助具としての転倒予防具３は、家具等Ｃに添わせる背板３ａと、それに直角に連結し、家具底部に差し込む底板３ｂとから成り、その差し込み側底板の反対側には張出部を延設可能にしたものである。該張出部は底板差し込み代より短くて良い。背板３ａ高さは、家具の重心位置に近い程良く、転倒予防具３の幅員は、家具のユーティリティを妨げない寸法以下とする。背板３ａと、底板３ｂまたは図示の張出底板３ｃの交差部には、その連結強度を補うために、ここに図示しない三角状の付け板を固着する。なお、家具等Ｃと載架台４との間に敷物またはシートがれば、転倒予防具３の幅員が挿入できる切り口を設け、シートを介して家具荷重を該転倒予防具が受けるようにしてもよい。【００４０】  図６に示す転倒予防具によって、重心不平衡になる家具の不安定性を安全側に改善し、前倒れ予防効果を高める利点を得る。棚置物の底面にシートを介在させる場合には、不定形状の多くの置物に、自立安定性を高められるという効果がある。
【産業上の利用可能性】
【００４１】  本発明の前倒れ転倒予防手段とその補助具は、外震動がもたらす転倒を、一方向へ収斂して移動する運動エネルギーに変換して震動ショックを減少させ、自律的に現状回帰を行わせるので、震動場に用いて、原点復帰型水準器、あるいは載架台前部先端の個所に近いところと別途設ける該先端部分の動きを検知するところを有する感知器に適用して、震動振幅や振幅大きさを検知、測定し、初動時原点からの値を記録する機構に利用できる。
【図面の簡単な説明】
【００４２】
【図１】本発明に係る家具等の転倒防止手段および転倒予防具の基本構成を説明し、それらに係る相互対応関係を示す模式図である。
【図２】本発明手段の構造本体の構成例を模式的に説明するもので、（Ａ）から（Ｆ）は対応を異にする実施例複数の構成を示す模式側断面図である。
【図３】本発明手段の床置簡易型の１実施例を説明するもので、（Ａ）はその側断面図、（Ｂ）は（Ａ）のＡ〜Ａ´矢視図、（Ｃ）は（Ａ）のＢ〜Ｂ´矢視図である。
【図４】本発明手段の棚受け型の１実施例を説明するもので、（Ａ）はその側面図、（Ｂ）はその前面を示す部分側面図である。
【図５】本発明手段の床置型の別の１実施例を説明するもので、（Ａ）はその要部を示す側面図、（Ｂ）は（Ａ）のＡ〜Ａ´矢視図、（Ｃ）は（Ｂ）のＢ〜Ｂ´矢視図、（Ｄ）は（Ｂ）のＣ〜Ｃ´矢視図。（Ｅ）は（Ｃ）の後部を示す部分側面図、（Ｆ）は（Ｄ）の前部を示す部分側面図である。
【図６】本発明に係る転倒予防具を説明するものであって、（Ａ）はその上面を示す平面図、（Ｂ）は（Ａ）のその側断面図、（Ｃ）は別の実施例を示す側断面図である。
【図７】本発明に係る転倒予防手段の前部と後部の分割構造の結合関連技術を説明するものであって、（Ａ）は別構造仕立ての分割構造の前部と後部との一体化方式を示す側面図、（Ｂ）は固定台と載架台とを一体化する仮止めの１実施例を示す側面図、（Ｃ）は溝受け具に係る仮止めの実施例を示す側面図、（Ｄ）は（Ｂ）に用いる仮止め具の全体を示す側面図である。
【図８】本発明手段に係る仮止め方式を説明するもので、（Ａ）は前部構造の仮止めフックを示す部分側断面図、（Ｂ）は図５（Ｃ）の仮止め構造の細部を示す部分側断面図である。
【符号の説明】
【００４３】  １                構造本体
２                棚受け型転倒防止構造
３                転倒予防具（補助具）
４                載架台
５                固定台
６、２５          変位台（上り坂用）
７                回転体
８、８ａ、９      易滑動手段
１０                転倒防止手段
１２                補助変位台（下り坂用）
１３                中仕切り
１６                車輪補助置台
１７                溝受け具
１８                クッション性弾性シート
２０                仮止め手段（補助具）
２８                棚用後輪
２９                棚用前輪
３０                棚板
３２、３３          中継ぎ型材
３４                嵌合受溝
３５                保持アーム
【図１】
2010000332.tif 000003
【図２】
2010000332.tif 000004
【図３】
2010000332.tif 000005
【図４】
2010000332.tif 000006
【図６】
2010000332.tif 000007
【図５】
2010000332.tif 000008
【図７】
2010000332.tif 000009
【図８】
2010000332.tif 000010